(57)【要約】【課題】安価であり、簡易的に短時間でノイズ源の特定、周波数帯域や相対強度の把握をすること、また携帯式に場所を選ばずに測定する携帯型電磁界センサを提供する。【解決手段】検出プローブ、検波回路５、発光素子駆動回路６からなる簡易型電磁界センサであって、前記検出プローブがシールド型ループアンテナ１からなる携帯型電磁界センサとする。【選択図】  図１
2005003479.tif 000002
【特許請求の範囲】
【請求項１】
電磁界の検出を行う検出プローブと、前記検出プローブからの信号を検波する検波回路と、検波信号を表示する表示部とが、一体の筐体に配置されたことを特徴とする携帯型電磁界センサ。
【請求項２】
前記検出プローブは、ループアンテナであることを特徴とする請求項１に記載の携帯型電磁界センサ。
【請求項３】
前記ループアンテナは、複数個配置され、各々の内径が異なることを特徴とする請求項２に記載の携帯型電磁界センサ。
【請求項４】
前記ループアンテナは、複数個配置され、各々の面内方向が異なることを特徴とする請求項２に記載の携帯型電磁界センサ。
【請求項５】
前記検出プローブは、シールド型ループアンテナであることを特徴とする請求項１に記載の携帯型電磁界センサ。
【請求項６】
前記シールド型ループアンテナは、複数個配置され、各々の内径が異なることを特徴とする請求項５に記載の携帯型電磁界センサ。
【請求項７】
前記シールド型ループアンテナは、複数個配置され、各々の面内方向が異なることを特徴とする請求項５に記載の携帯型電磁界センサ。
【請求項８】
前記検出プローブは、ダイポールアンテナであることを特徴とする請求項１に記載の携帯型電磁界センサ。
【請求項９】
前記ダイポールアンテナは、複数個配置され、各々の長手方向の寸法が異なることを特徴とする請求項８に記載の携帯型電磁界センサ。
【請求項１０】
前記シールド型ループアンテナは、複数個配置され、各々の長手方向が異なることを特徴とする請求項８に記載の携帯型電磁界センサ。
【請求項１１】
前記表示部はＬＥＤであり、簡易型電磁界センサの外壁に、少なくとも１個以上配列され、検出した電磁界の大きさにより、前記ＬＥＤは、異なる発光のパターンとなることを特徴とする請求項１ないし１０のいずれかに記載の携帯型電磁界センサ。
【請求項１２】
前記表示部はＬＥＤであり、簡易型電磁界センサの外壁に、少なくとも１個以上配列され、検出する電磁界の周波数帯域に応じて、異なる発光のパターンとなることを特徴とする請求項１ないし１０のいずれかに記載の携帯型電磁界センサ。
【請求項１３】
前記表示部はＬＥＤであり、簡易型電磁界センサの外壁に、少なくとも１個以上配列され、検出する電磁界の方向に応じて、異なる発光のパターンとなることを特徴とする請求項１ないし１０のいずれかに記載の携帯型電磁界センサ。
【発明の詳細な説明】
【０００１】
【発明の属する技術分野】
本発明は、回路基板など電子機器内部の電磁界あるいはノイズ源を検出するのに好適な携帯型電磁界センサに関する。
【０００２】
【従来の技術】
従来の磁界・電流システムは、電磁界検出用のプローブと、スペクトラムアナライザなどの測定器から構成されている。
【０００３】
図５は、非特許文献１に記載されている従来の磁界・電流測定システムの説明図である。図５の磁界・電流測定システムは、定盤４００の上に、測定対象のＬＳＩ評価基板３００が配置され、磁界プローブ１００にて磁界を検出する。磁界プローブ１００からの信号は、プリアンプ２００にて増幅され、増幅された信号は、２重シールドケーブル６００を通過して、スペクトラムアナライザ７００にて信号処理される。また、スペクトラムアナライザ７００は、パソコン８００によって制御されている。
【０００４】
【非特許文献１】
ＮＥＣエンジニアリング（株）製品カタログ：磁界・電流測定システム
【０００５】
【発明が解決しようとする課題】
従来、電磁界検出部と大掛かりな評価装置を必要としており、厳密な評価を実施するには適しているが、装置は高価な上、簡易的に短時間でノイズ源の特定、周波数帯域や相対強度の把握をすること、また携帯式に場所を選ばずに測定をするには不向きであった。
【０００６】
本発明の目的は、簡易的に短時間で電磁界あるいはノイズ源の特定、周波数帯域や相対強度の把握ができ、また携帯式に場所を選ばずに測定できる、安価な携帯型電磁界センサを提供することである。
【０００７】
【課題を解決するための手段】
本発明は、電磁界の検出を行う検出プローブと、前記検出プローブからの信号を検波する検波回路と、検波信号を表示する表示部とが、一体の筐体に配置された携帯型電磁界センサとする。
【０００８】
また、本発明は、前記検出プローブは、ループアンテナの簡易型電磁界センサである。
【０００９】
また、本発明は、前記ループアンテナは、複数個配置され、各々の内径が異なる携帯型電磁界センサである。
【００１０】
また、本発明は、前記ループアンテナは、複数個配置され、各々の面内方向が異なる携帯型電磁界センサである。
【００１１】
また、本発明は、前記検出プローブは、シールド型ループアンテナの携帯型電磁界センサである。
【００１２】
また、本発明は、前記シールド型ループアンテナは、複数個配置され、各々の内径が異なる携帯型電磁界センサである。
【００１３】
また、本発明は、前記シールド型ループアンテナは、複数個配置され、各々の面内方向が異なる携帯型電磁界センサである。
【００１４】
また、本発明は、前記検出プローブは、ダイポールアンテナの携帯型電磁界センサである。
【００１５】
また、本発明は、前記ダイポールアンテナは、複数個配置され、各々の長手方向の寸法が異なる携帯型電磁界センサである。
【００１６】
また、本発明は、前記ダイポールアンテナは、複数個配置され、各々の長手方向が異なる携帯型電磁界センサである。
【００１７】
また、本発明は、前記表示部はＬＥＤ（Ｌｉｇｈｔ  Ｅｍｉｔｔｉｎｇ  Ｄｉｏｄｅ：発光ダイオードの略）であり、簡易型電磁界センサの外壁に複数個配列され、検出した電磁界の大きさにより、前記ＬＥＤは異なる発光のパターンとなる携帯型電磁界センサである。
【００１８】
また、本発明は、前記表示部はＬＥＤであり、簡易型電磁界センサの外壁に複数個配列され、検出する電磁界の周波数帯域に応じて、異なる発光のパターンとなる携帯型電磁界センサである。
【００１９】
また、本発明は、前記表示部はＬＥＤであり、簡易型電磁界センサの外壁に複数個配列され、検出する電磁界の方向に応じて、異なる発光のパターンとなる携帯型電磁界センサである。
【００２０】
【発明の実施の形態】
本発明の実施の形態による携帯型電磁界センサについて、以下に説明する。
【００２１】
（実施の形態１）
図１は、本発明の実施の形態１による携帯型電磁界センサの説明図である。図１（ａ）は外観図であり、図１（ｂ）は内部構成図である。図１に示す携帯型電磁界センサ１０は、電磁界の検出を行う検出プローブであるシールド型ループアンテナ１と、シールド型ループアンテナ１からの信号を検波する検波回路５と、発光素子駆動回路６と、ＬＥＤ７ａ，７ｂ，７ｃ，７ｄ  とが、一体の筐体に配置された携帯型電磁界センサである。
【００２２】
ここで、携帯型電磁界センサ１０の外観は、ペンシル型の筐体であって、先端部にシールド型ループアンテナ１が配置され、またＬＥＤは、ペンシル型の筐体の側面に直線状に配列されている。
【００２３】
ここで、検波回路５と発光素子駆動回路６の回路設計を行うことにより、ＬＥＤ７ａ，７ｂ，７ｃ，７ｄの発光のパターンを、シールド型ループアンテナ１にて検出した電磁界の強度に応じて、決定することができる。
【００２４】
（実施の形態２）
図２は、本発明の実施の形態２による携帯型電磁界センサの説明図である。図２（ａ）は外観図であり、図２（ｂ）は内部構成図である。図２に示す携帯型電磁界センサ１０は、電磁界の検出を行う検出プローブであるシールド型ループアンテナ３と、シールド型ループアンテナ３からの信号を検波する検波回路５と、発光素子駆動回路６と、ＬＥＤ７ａ，７ｂ，７ｃ，７ｄ  とが、一体の筐体に配置された携帯型電磁界センサである。
【００２５】
前記シールド型ループアンテナ３は、内径の異なる２個のシールド型ループアンテナ３ａとシールド型ループアンテナ３ｂとで構成されており、その平面は、同一方向としている。前記の内径の異なる２個のシールド型ループアンテナ３ａとシールド型ループアンテナ３ｂとは、それぞれその内径に応じて、それぞれ固有の周波数帯域に対して感度を有している。
【００２６】
検波回路５と発光素子駆動回路６の回路設計を行うことにより、ＬＥＤ７ａ，７ｂ，７ｃ，７ｄの発光のパターンを、シールド型ループアンテナによって設定された電磁界の周波数帯域に応じて、異なる発光のパターンとすることができる。例えば、固有の周波数帯域の専用のＬＥＤを設定して、発光させることもでき、１個のＬＥＤにて、広範囲の周波数帯域を代表させて、発光させることもできる。そして、他のＬＥＤを、先の実施の形態１のように各シールド型ループアンテナ３ａ、３ｂにて検出した電磁界の強度に応じて、段階的に発光させることもできる。
【００２７】
（実施の形態３）
図３は、本発明の実施の形態３による携帯型電磁界センサの説明図である。図３（ａ）は外観図であり、図３（ｂ）は内部構成図である。図３に示す携帯型電磁界センサ１０は、電磁界の検出を行う検出プローブである微小ダイポールアンテナ２と、微小ダイポールアンテナ２からの信号を検波する検波回路５と、発光素子駆動回路６と、ＬＥＤ７ａ，７ｂ，７ｃ，７ｄ  とが、一体の筐体に配置された携帯型電磁界センサである。
【００２８】
微小ダイポールアンテナ２は、電磁界の検出の中で、特に電界の検出を主として行うものである。検波回路５と発光素子駆動回路６の回路設計を行うことにより、ＬＥＤ７ａ，７ｂ，７ｃ，７ｄの発光のパターンを、微小ダイポールアンテナ２にて検出した電界の強度に応じて、決定することができる。
【００２９】
（実施の形態４）
図４は、本発明の実施の形態４による携帯型電磁界センサの説明図である。図４（ａ）は外観図であり、図４（ｂ）は内部構成図である。図４に示す携帯型電磁界センサ１０は、電磁界の検出を行う検出プローブである平衡給電型ループアンテナ４と、平衡給電型ループアンテナ４からの信号を検波する検波回路５と、発光素子駆動回路６と、ＬＥＤ７ａ，７ｂ，７ｃ，７ｄ  とが、一体の筐体に配置された携帯型電磁界センサである。
【００３０】
前記平衡給電型ループアンテナ４は、面内方向が、互いに直角となる２個の平衡給電型ループアンテナ４ａと平衡給電型ループアンテナ４ｂとで構成されている。従って、互いに直角方向の電磁界を検出できる。
【００３１】
【発明の効果】
以上、本発明によれば、簡易的に短時間で電磁界あるいはノイズ源の特定、周波数帯域や相対強度の把握ができ、また携帯式に場所を選ばずに測定できる、安価な携帯型電磁界センサを提供できる。
【図面の簡単な説明】
【図１】本発明の実施の形態１による携帯型電磁界センサの説明図。図１（ａ）は外観図、図１（ｂ）は内部構成図。
【図２】本発明の実施の形態２による携帯型電磁界センサの説明図。図２（ａ）は外観図、図２（ｂ）は内部構成図。
【図３】本発明の実施の形態３による携帯型電磁界センサの説明図。図３（ａ）は外観図、図３（ｂ）は内部構成図。
【図４】本発明の実施の形態４による携帯型電磁界センサの説明図。図４（ａ）は外観図、図４（ｂ）は内部構成図、図４（ｃ）は一部拡大図。
【図５】従来の磁界・電流測定システムの説明図。
【符号の説明】
１    シールド型ループアンテナ
２    微小ダイポールアンテナ
３，３ａ，３ｂ    シールド型ループアンテナ
４，４ａ，４ｂ    平衡給電型ループアンテナ
５    検波回路
６    発光素子駆動回路
７ａ，７ｂ，７ｃ，７ｄ    ＬＥＤ
１０    携帯型電磁界センサ
１００    磁界プローブ
２００    プリアンプ
３００    ＬＳＩ評価基板
４００    定盤
５００    マニュプレータ
６００    ２重シールドケーブル
７００    スペクトラムアナライザ
８００    パソコン
【図１】
2005003479.tif 000003
【図２】
2005003479.tif 000004
【図３】
2005003479.tif 000005
【図４】
2005003479.tif 000006
【図５】
2005003479.tif 000007